(57)【特許請求の範囲】
【請求項１】
親機と前記親機に接続される１以上の子機とを含む電気機器の親子関係を設定する親子関係設定装置であって、前記親機は、自己を特定する親機情報を記憶するための第１の記憶手段を含み、前記子機は、自己が接続される親機の親機情報を記憶するための第２の記憶手段を含み、
前記親子関係設定装置は、第１の通信媒体を介して任意の親機と通信可能であり、かつ第２の通信媒体を介して前記任意の親機に接続される子機と通信可能であり、
前記親子関係設定装置は、
前記第１の通信媒体に接続され、前記任意の親機の第１の記憶手段に記憶された親機情報を読取るための第１の通信手段と、
前記第２の通信媒体と前記第１の通信手段とに接続され、前記第１の通信手段により読取った前記任意の親機の親機情報を、前記任意の親機に接続される子機の第２の記憶手段に書込むための第２の通信手段とを含む、親子関係設定装置。
【請求項２】
前記第１の記憶手段は、自己を特定する親機情報と、自己に接続された子機を認識する子機認識情報とを記憶するための手段を含み、
前記第２の記憶手段は、前記親機情報と、自己と同じ親機に接続される他の子機と自己とを区別する子機情報とを記憶するための手段を含み、
前記第１の通信手段は、前記第１の記憶手段に記憶された前記親機情報を読取り、かつ前記子機認識情報を読取り書込むための手段を含み、
前記第２の通信手段は、前記第２の記憶手段に前記親機情報と前記子機情報とを書込むための手段を含み、
前記親子関係設定装置は、
前記第１の通信手段と前記第２の通信手段とに接続され、読取った前記親機情報と前記子機認識情報とに基づいて、前記任意の親機に接続される子機の子機情報を生成して前記第２の通信手段に送出し、かつ読取った前記子機認識情報に基づいて、新たに接続する子機を含めて接続された子機を認識する子機認識情報を生成して前記第１の通信手段に送出するための制御手段をさらに含む、請求項１に記載の親子関係設定装置。
【請求項３】
前記親機は第１の場所に設置され、
前記親子関係設定装置は、前記第１の場所とは異なる場所であって、前記親機と前記第１の通信媒体により接続可能な第２の場所に設置された、請求項１または２に記載の親子関係設定装置。
【請求項４】
前記親子関係設定装置は、前記第１の場所に設置された前記親機から発信された情報に基づいて、前記通信手段および前記制御手段のいずれか一方または双方を起動させるための第１の起動手段をさらに含む、請求項３に記載の親子関係設定装置。
【請求項５】
前記親子関係設定装置は、前記第２の場所に設置された前記子機から発信された情報に基づいて、前記通信手段および前記制御手段のいずれか一方または双方を起動させるための第２の起動手段をさらに含む、請求項３に記載の親子関係設定装置。
【請求項６】
前記情報はインターネット回線を介した情報である、請求項４に記載の親子関係設定装置。
【請求項７】
前記親子関係設定装置は、前記第２の通信手段に接続され、前記第２の通信手段と子機との通信経過を収集して表示するための表示手段をさらに含む、請求項１〜６のいずれかに記載の親子関係設定装置。
【発明の詳細な説明】
【０００１】
【発明の属する技術分野】
本発明は、複数の子機を含むコードレス電話などの電気機器の親子関係設定技術に関し、特に子機の増設を簡単に行えるようにした電気機器の親子関係設定装置および親子関係設定方法に関する。
【０００２】
【従来の技術】
最近、複数の子機を使用できるコードレス電話機が多くなっているが、はじめから子機が２台以上セットされて販売されるものは少なく、最初は親機１台、子機１台で販売され、必要に応じて子機をもう１台買い足す場合が多い。このような場合、後で買い足した子機に、親機と同じ呼び出し符号（以下、単にＩＤ（identification）と呼ぶ）を登録したり、親機に子機が１台増えたという情報を登録したりする必要がある。
【０００３】
このため、一般的には、コードレス電話機の親機と子機とは、増設モードという動作モードを有する。子機を増設する場合、たとえば特定の操作を行って親機と増設される新規子機とを増設モードにする。親機から増設する子機の子機番号を入力し、親機は子機に対して自分の記憶しているＩＤと子機番号と増設を指示する信号とを無線で子機に送信する。子機はそれらの信号を受信して、ＩＤと子機番号とをメモリに書き込む。
【０００４】
その後、子機は増設を指示する信号が受信できたことを知らせる信号を、親機に送信する。親機はこの信号を受信すると増設が正しくできたとして、子機が増えたという情報をメモリに書き込む。このようにして親機と同じＩＤと子機番号を記憶した新規子機は、その親機と無線接続が可能となる。
【０００５】
また、増設した子機が故障したり、使わなくなったりした場合、親機に記憶している、使わなくなった子機の情報を取り消す必要がある。このため親機を取り消しモードに入れ、使用しなくなった子機の情報を消す処理が必要となる。
【０００６】
このように子機を増設したり、取り消したりするために特別の操作が必要である。また、間違って増設や取り消しが行われないように、増設モードまたは、取り消しモードに入るための操作は複雑な操作になっている場合が多く、増設の方法がよく分からないという使用者が多い。例えば、増設モードにいれるためには、「ある特定のキーを押しながら電源を入れる。」といった方法がとられている。また、近年、電話機には便利な様々な機能を持つものが増えているが、その反面操作方法が難しくなり、使用者がとまどうといった問題が増えている。そのためコードレス電話の製造メーカでは、使用者の質問、疑問に答えるため、販売店、サービスセンタなどに専用の電話を設けている。
【０００７】
このようなユーザ自身が行う子機の増設を簡単に行うために、特開平８−２２３２８２号公報に開示される技術がある。図１２を参照して、この公報に開示された発明は、電話回線に接続される親機１００と、親機１００に無線を介して接続される既存子機２００と新規子機５００とを含むコードレス電話機において、親機１００は、接続される既存子機２００と新規子機５００とを特定するための子機情報を記憶するための第１のメモリと、第１のメモリに子機情報を記憶させるための第１のメモリ制御回路とを含み、既存子機２００と新規子機５００とは、自己を特定する子機情報を記憶するための第２のメモリと、第２のメモリに自己を特定するための子機情報を記憶させる第２のメモリ制御回路とを含み、親機１００が電話回線を介して通話中の状態で、第１及び第２のメモリに、増設しようとする新規子機５００を特定するための子機情報の記憶を行わせるための制御装置とを含む。
【０００８】
この発明によると、制御装置は、親機１００を電話回線に接続して、親機１００から販売店へ電話をかけながら、親機１００及び増設しようとする新規子機５００の第１及び第２のメモリに、増設しようとする新規子機５００を特定する子機情報を記憶させることができる。これにより、増設処理がわからない使用者は、接続された電話回線を介して、コードレス電話の販売店、コードレス電話の製造メーカのサービスセンタ等から説明を聞きながら子機の増設を行うことができる。
【０００９】
【発明が解決しようとする課題】
しかし、前述の公報に開示された発明では、増設する新規子機５００が親機１００とともにユーザの自宅にあることを前提とし、親機１００から新規子機５００に無線接続して親子関係を設定する。このため、ユーザは販売店で新規子機５００を購入後、ユーザ自宅においてユーザ自身が販売店からの指示などに基づいて、新規子機５００の増設処理を行なわなければならない。これでは、設定方法の多様化、設定項目の増加等によるユーザの負担が大きい。
【００１０】
本発明は、上述の課題を解決するためになされたものであって、ユーザ自宅に親機がある場合、親機と増設する新規子機との増設処理を販売者が販売店で行なうことができる親子関係設定装置を提供することである。
【００１１】
【課題を解決するための手段】
請求項１に記載の発明に係る親子関係設定装置は、親機と親機に接続される１以上の子機とを含む電気機器の親子関係を設定する親子関係設定装置であって、親機は、自己を特定する親機情報を記憶するための第１の記憶手段を含み、子機は、自己が接続される親機の親機情報を記憶するための第２の記憶手段を含み、親子関係設定装置は、第１の通信媒体を介して任意の親機と通信可能であり、かつ第２の通信媒体を介して任意の親機に接続される子機と通信可能であり、親子関係設定装置は、第１の通信媒体に接続され、任意の親機の第１の記憶手段に記憶された親機情報を読取るための第１の通信手段と、第２の通信媒体と第１の通信手段とに接続され、第１の通信手段により読取った任意の親機の親機情報を、任意の親機に接続される子機の第２の記憶手段に書込むための第２の通信手段とを含む。
【００１２】
請求項１に記載の発明によると、第１の通信媒体は、親子関係設定装置と任意の親機との通信を可能にし、かつ第２の通信媒体は、親子関係設定装置と任意の親機に接続される子機との通信を可能にする。第１の通信手段は、第１の通信媒体を介して、任意の親機の第１の記憶手段に記憶された親機情報（たとえば、親機ごとに異なる、１０桁程度の数字からなるＩＤ番号）を読取る。第２の通信手段は、第１の通信手段により読取った任意の親機の親機情報を、任意の親機に接続される子機の第２の記憶手段に書込む。これにより、親機の第１の記憶手段に記憶された自己を特定する親機情報を、子機の第２の記憶手段に記憶させることができ、子機は自己が接続される親機を認識できる。その結果、たとえば、複数の子機を含むコードレス電話などの親機がユーザの自宅にある場合、増設する新規子機の増設処理を販売者が行なうことができる親子関係設定装置を提供できる。
【００１３】
請求項２に記載の発明に係る親子関係設定装置は、請求項１に記載の発明の構成に加えて、第１の記憶手段は、自己を特定する親機情報と、自己に接続された子機を認識する子機認識情報とを記憶するための手段を含み、第２の記憶手段は、親機情報と、自己と同じ親機に接続される他の子機と自己とを区別する子機情報とを記憶するための手段を含み、第１の通信手段は、第１の記憶手段に記憶された親機情報を読取り、かつ子機認識情報を読取り書込むための手段を含み、第２の通信手段は、第２の記憶手段に親機情報と子機情報とを書込むための手段を含み、親子関係設定装置は、第１の通信手段と第２の通信手段とに接続され、読取った親機情報と子機認識情報とに基づいて、任意の親機に接続される子機の子機情報を生成して第２の通信手段に送出し、かつ読取った子機認識情報に基づいて、新たに接続する子機を含めて接続された子機を認識する子機認識情報を生成して第１の通信手段に送出するための制御手段をさらに含む。
【００１４】
請求項２に記載の発明によると、制御手段は、読取った親機情報と子機認識情報とに基づいて、任意の親機に接続される子機の子機情報を生成して第２の通信手段に送出する。また、読取った子機認識情報に新たに接続する子機を認識できるように子機認識情報を生成して第１の通信手段に送出する。ここで、子機情報とは、たとえば、子機の号機番号とすることができる。また、子機認識情報とは、たとえば、子機有無フラグとしたり、子機台数情報としたりすることができる。子機有無フラグは、最大８台の子機が接続できる親機において８ビットのデータからなるフラグ（フラグがリセットされていると子機未登録状態、フラグがセットされていると子機登録状態）等である。各ビットが子機の子機番号（号機番号）に対応する。このフラグがリセット状態の箇所を選定して、新規に接続する子機の子機情報を生成する。また、子機台数情報は、接続されている子機の台数の情報等である。既存の子機台数に新規に接続される子機の台数を加算したものを新規に接続される子機の子機番号（号機番号）とする。これにより、親機の第１の記憶手段に記憶された子機の子機認識情報により、親機は自己に接続された子機を認識することができる。また、子機の第２の記憶手段に記憶された子機情報により、子機は自己と同じ親機に接続される他の子機と自己とを区別することができる。その結果、子機が２以上ある場合であっても、各子機は自己と他の子機とを自己で識別できるため、親機と特定の子機、または子機間で通信することができる複数の子機を含むコードレス電話などの親機と子機との増設処理を販売者が行なうことができる親子関係設定装置を提供できる。
【００１５】
請求項３に記載の発明に係る親子関係設定装置は、請求項１または２に記載の発明の構成に加えて、親機は第１の場所に設置され、親子関係設定装置は、第１の場所とは異なる場所であって、親機と第１の通信媒体により接続可能な第２の場所に設置されたものである。
【００１６】
請求項３に記載の発明によると、たとえば第１の場所であるユーザ自宅にある親機と、第２の場所である販売店にある子機との増設処理を、第２の場所にいる販売者が行なうことができる親子関係設定装置を提供できる。
【００１７】
請求項４に記載の発明に係る親子関係設定装置は、請求項３に記載の発明の構成に加えて、親子関係設定装置は、第１の場所に設置された親機から発信された情報に基づいて、通信手段および制御手段のいずれか一方または双方を起動させるための第１の起動手段をさらに含む。
【００１８】
請求項４に記載の発明によると、第１の起動手段は、第１の場所から発信された情報に基づいて、通信手段および制御手段のいずれか一方または双方を起動させる。たとえば、第１の場所であるユーザ自宅にある親機と、第２の場所である販売店にある子機とについて、第１の場所にいるユーザから販売店にかけられた電話により通信手段、制御手段を起動させて、親機および子機の増設処理を行なうことができる親子関係設定装置を提供できる。
【００１９】
請求項５に記載の発明に係る親子関係設定装置は、請求項３に記載の発明の構成に加えて、親子関係設定装置は、第２の場所に設置された子機から発信された情報に基づいて、通信手段および制御手段のいずれか一方または双方を起動させるための第２の起動手段をさらに含む。
【００２０】
請求項５に記載の発明によると、たとえば第１の場所であるユーザ自宅にある親機と、第２の場所である販売店にある子機とについて、ユーザが第２の場所において子機を購入したという情報により通信手段、制御手段を起動させて、親機および子機の増設処理を行なうことができる親子関係設定装置を提供できる。
【００２１】
請求項６に記載の発明に係る親子関係設定装置は、請求項４に記載の発明の構成に加えて、情報はインターネット回線を介した情報である。
【００２２】
請求項６に記載の発明によると、第１の起動手段は、第１の場所から発信されたインターネット経由の情報に基づいて、通信手段および制御手段のいずれか一方または双方を起動させる。たとえば、第１の場所であるユーザ自宅にある親機と、第２の場所である販売店にある子機とについて、第１の場所にいるユーザがインターネット回線で子機を購入した場合、その購入情報により通信手段、制御手段を起動させて、親機および子機の増設処理を行なうことができる親子関係設定装置を提供できる。
【００２３】
請求項７に記載の発明に係る親子関係設定装置は、請求項１〜６のいずれかに記載の発明の構成に加えて、親子関係設定装置は、第２の通信手段に接続され、第２の通信手段と子機との通信経過を収集して表示するための表示手段をさらに含む。
【００２４】
請求項７に記載の発明によると、表示手段は、第２の通信手段と子機との通信経過を収集して表示する。これにより、親子関係設定装置と子機との間における子機増設の通信経過が親子関係設定装置に表示されるので、増設処理が正しくできたか否か等、確認することができる、親子関係設定装置を提供できる。
【００３９】
【発明の実施の形態】
以下、図面を参照しつつ、本発明の実施の形態について説明する。以下の説明では、同一の部品には同一の符号を付してある。それらの名称および機能も同じである。したがって、それらについての詳細な説明の繰返しは適宜省略する。
【００４０】
＜第１の実施の形態＞
図１を参照して、本発明の実施の形態１に係る親子関係設定装置２８０は、親機１００と、親機１００に接続される既存の子機２００、および親機１００に新規に接続される子機５００とを含むコードレス電話などの電気機器の親子関係を設定する装置である。親機１００と既存の子機２００とはユーザの自宅に設置され、親子関係設定装置２８０と新規の子機５００とは販売店に設置される。親機１００は、自己を特定する情報（ＩＤ）と自己に接続されている子機の子機認識情報とを記憶するためのメモリ１８４を含む。ここで、子機認識情報とは、たとえば、子機有無フラグとしたり、子機台数情報としたりすることができる。子機有無フラグは、最大８台の子機が接続できる親機において８ビットのデータからなるフラグ（フラグがリセットされていると子機未登録状態、フラグがセットされていると子機登録状態）等である。各ビットが子機の子機情報（号機番号）に対応する。また、子機台数情報は、接続されている子機の台数の情報等である。既存の子機２００は、自己が接続される親機１００を特定する情報（ＩＤ）と自己を特定する情報（子機情報）とを記憶するメモリ２６２を含む。新規に接続される子機５００は自己が接続される親機１００を特定する情報（ＩＤ）と自己を特定する情報（子機情報）とを記憶するメモリ５６２を含む。親子関係設定装置２８０は、第１の通信媒体である電話回線１２２を介して親機１００と通信可能であり、かつ無線接続を介して親機１００に接続される子機と通信可能である。親子関係設定装置２８０は、電話回線１２２に接続され、親機１００のメモリ１８４に記憶された情報を読取るための販売店端末３００と、販売店端末３００に接続され、販売店端末３００により読取った親機１００の情報をその親機１００に接続される子機５００のメモリ５６２に書込むための設定端末４００とを含む。設定端末４００と子機５００とは、第２の通信媒体である無線接続によって通信可能である。
【００４１】
図２を参照して、親機１００は、電話回線１２２により販売店端末３００と接続された回線部１２０と、回線部１２０に接続され、子機２００および子機５００と無線通信を行なう無線部１４０と、音声を入出力したり、電話番号を入力したりする入出力部１６０と、回線部１２０と無線部１４０と入出力部１６０とに接続され、親機１００の各部の制御を行なう制御部１８０と、制御部１８０と回線部１２０とに接続され、後述するメモリ１８４に記憶されたデジタルデータをアナログ信号に変換して伝送するためのモデム１８２と、制御部１８０に接続され各種データを記憶するメモリ１８４とを含む。なお、モデム１８２は、制御部１８０からの制御信号により、起動および停止させることができる。
【００４２】
回線部１２０は、電話回線１２２に接続され、電話回線１２２の捕捉、解放などを行なうための回線インタフェース１２４と、回線インタフェース１２４と無線部１４０と入出力部１６０とに接続され、制御部１８０がスイッチをオンオフすることにより、電話回線１２２と無線部１４０とを接続したり、電話回線１２２と入出力部１６０とを接続したり、無線部１４０を介して電話回線１２２と子機２００および子機５００とを接続したりするクロスポイントスイッチ部１２６と、回線インタフェース１２０に接続され、電話回線１２２を介して着信した信号を検出する着信検出部１２８と、回線インタフェース１２４に接続され、電話回線１２２を介して受信したＤＴＭＦ（dual tone multi frequency）信号を検出して内容を解析するＤＴＭＦ信号検出部１３０と、回線インタフェース１２０に接続され、電話回線１２２へ所定のＤＴＭＦ信号を出力するＤＴＭＦ信号発生部１３２とを含む。
【００４３】
ここで、ＤＴＭＦ信号とは、音声周波数帯域の２つの周波数（高群周波数と低群周波数）を組合せて、０〜９，＊，＃等のデータを表現する信号であり、これを用いると、電話装置間における簡易なデータ通信を実現できる。
【００４４】
無線部１４０は、親機１００と子機２００および子機５００との間で無線の送受信を行うアンテナ１４２と、アンテナ１４２に接続され、受信した信号を復調したり、送信する信号を変調したりする無線通信部１４４とを含む。
【００４５】
入出力部１６０は、クロスポイントスイッチ部１２６に接続され、送信する音声を入力して音声信号に変換するマイク１６６および受信した音声信号を変換して音声を出力するイヤーピース１６４を含む受話器１６２と、制御部１８０に接続され、受話器１６２が待機位置に置かれたことにより通話が終了されたこと、および受話器１６２が待機位置から取り上げられたことにより通話が開始されたことを検知するフックスイッチ１６８と、制御部１８０に接続され、通話先のダイヤル番号などの入力をする入力キー１７０と、制御部１８０に接続され、電話回線１２２を介して着信信号を受信した場合に呼出音を出力するスピーカ１７２とを含む。
【００４６】
メモリ１８４は、親機１００の自己のＩＤを記憶するＩＤ記憶部と、自己に接続された子機台数などの情報を記憶する親機データ記憶部とを含む。
【００４７】
制御部１８０は、ＣＰＵ（Central Processing Unit），ＲＯＭ（Read Only Memory），ＲＡＭ（Random Access Memory），入出力インタフェースなどを含み、入出力インタフェースを介して入力されるデータと、ＲＯＭ、ＲＡＭに記憶されたプログラムおよびデータとに基づき、ＣＰＵが親機１００の各部を所定の動作に制御する。
【００４８】
図３を参照して、子機２００（５００）は、親機１００と無線通信する無線部２２０（５２０）と、無線部２２０（５２０）に接続され、親機１００から受信した音声信号を出力したり親機１００への音声を入力したりする入出力部２４０（５４０）と、無線部２２０（５２０）と入出力部２４０（５４０）とに接続され、子機２００（５００）の各部を制御する制御部２６０（５６０）と、制御部２６０（５６０）に接続され、自己が接続される親機１００のＩＤなどを記憶するメモリ２６２（５６２）とを含む。なお、既存の子機２００と新規に接続される子機５００とは、たとえば、入出力部のＬＣＤ（Liquid Crystal Display）が異なったり、それに付随する機能が異なったりする等の違いはあるが、本実施の形態における子機増設に関して、基本的な構造が同一のものである。したがって、子機２００と子機５００とにおける同一の構造の部分については、既存の子機２００の各部の符号に新規に接続される子機５００とにおける各部の符号を併記（図３において、新規子機５００に付される符号を括弧書きで併記）する。また、この子機２００、５００については、特定の親機機種にのみ増設可能な専用子機であったり、複数の異なる親機機種にも増設可能な共通子機であったりする。
【００４９】
無線部２２０（５２０）は、親機１００または設定端末４００との間で無線の送受信を行なうアンテナ２２２（５２２）と、アンテナ２２２（５２２）に接続され、受信した信号を復調したり、送信する信号を変調したりする無線通信部２２４（５２４）とを含む。
【００５０】
入出力部２４０（５４０）は、親機１００へ送信する音声を入力して音声信号に変換するマイク２４６（５４６）と、親機１００から受信した音声信号を変換して音声を出力するイヤーピース２４２（５４２）と、発信するダイヤル番号を入力する入力キー２４８（５４８）と、親機１００から着信信号を受信した際に呼出音を出力するスピーカ２５０（５５０）とを含む。また、入出力部２４０（５４０）は、入力キー(２４８)から入力したダイヤル番号等を表示するＬＣＤを含むこともできる。
【００５１】
制御部２６０（５６０）は、ＣＰＵ，ＲＯＭ，ＲＡＭ，入出力インタフェースなどを含み、入出力インタフェースを介して入力されるデータと、ＲＯＭ，ＲＡＭに記憶されたプログラムおよびデータとに基づき、ＣＰＵが子機２００（５００）の各部を所定の動作に制御する。
【００５２】
メモリ２６２（５６２）は、親機情報として自己が接続される親機１００のＩＤを記憶するＩＤ記憶部と、子機情報として自己の子機番号を記憶する子機データ記憶部とを含む。
【００５３】
図４を参照して、親子関係設定装置２８０は、電話回線１２２を介して親機１００に接続される販売店端末３００と、接続ケーブル４６４を介して販売店端末３００に接続され、新規に接続される子機５００と無線通信を行なう設定端末４００とを含む。
【００５４】
販売店端末３００は、電話回線１２２を介して親機１００と通信する回線部３２０と、回線部３２０と制御部３４０とに接続され、親機１００から受信した音声を出力したり、親機１００へ送信する音声を入力したり、所定の帳票を出力したりする入出力部３５０と、回線部３２０と入出力部３５０とに接続され、販売店端末３００の各部を制御する制御部３４０と、制御部３４０に接続され、データベースを構築してデータを記憶するメモリ３４４と、制御部３４０と回線部３２０とに接続され、メモリ３４４に記憶されたデジタルデータをアナログ信号に変換して伝送するためのモデム３４２とを含む。なお、モデム３４２は、制御部３４０からの制御信号により、起動および停止させることができる。また、メモリ３４４のデータベースには、後述する販売店端末３００における処理において親機を特定するために、親機１００の電話番号が記憶される。この電話番号は、たとえば、ユーザの自宅にある親機１００と子機２００との親子関係を設定する際に記憶したものであったり、後述するインターネット経由で入力された販売情報の中から記憶するものであったりする。
【００５５】
回線部３２０は、電話回線１２２に接続され、電話回線１２２の捕捉、解放などを行なう回線インタフェース３２４と、電話回線１２２を介して受信した着信信号を検出する着信検出部３２６と、電話回線１２２から受信したＤＴＭＦ信号を検出して内容を分析するＤＴＭＦ信号検出部３２８と、電話回線１２２に出力するＤＴＭＦ信号を発生させるＤＴＭＦ信号発生部３３０とを含む。
【００５６】
入出力部３５０は、回線インタフェース３２４に接続され、親機１００から受信した音声信号を音声に変換して出力するイヤーピース３５４および親機１００へ送信する音声を入力して音声信号に変換するマイク３５６を含む受話器３５２と、設定端末４００を介して新規に接続される子機５００の子機設定状況を表示したり、発信先のダイヤル番号を表示したりする表示部３５８と、制御部３４０に接続され、新規子機５００の受注伝票を印字したり、新規子機５００の発送伝票を印字したりする印字部３６０と、受話器３５２が待機位置に置かれたことにより通話が終了されたこと、および受話器３５２が待機位置から取り上げられたことにより通話が開始されたことを検知するフックスイッチ３６２と、制御部３４０に接続され、各種データを入力するキーボード３６４と、電話回線１２２を介して着信信号を受信した場合に呼出音を出力するスピーカ３６６とを含む。
【００５７】
設定端末４００は、新規に接続される子機５００と通信する無線部４２０と、無線部４２０と販売店端末３００とに接続され、設定端末４００の各部を制御する制御部４６０と、制御部４６０に接続され、各種データを入力する入力部４４０と、販売店端末３００を介して受信した親機のＩＤなどを記憶するメモリ４６２とを含む。
【００５８】
無線部４２０は、新規に接続される子機５００との間で無線の送受信を行なうアンテナ４２２と、アンテナ４２２に接続され、受信した信号を復調したり、送信する信号を変調したりする無線通信部４２４とを含む。なお、無線通信部４２４においては、制御部４６０が受信チャンネルと送信チャンネルとを設定することができる。
【００５９】
入力部４４０は、各種コマンドを入力する入力キー４４２と、新規に接続される子機５００から着信信号を受信した際に呼出音を出力するスピーカ４４４とを含む。
【００６０】
制御部４６０は、ＣＰＵ，ＲＯＭ，ＲＡＭ，入出力インタフェースなどを含み、入出力インタフェースを介して入力されるデータと、ＲＯＭ，ＲＡＭに記憶されたプログラムおよびデータとに基づき、ＣＰＵが設定端末４００の各部の動作を制御する。また、入出力インターフェイスを介して、制御部３４０と制御部４６０との間でデータの送受信を行う。
【００６１】
メモリ４６２は、新規に接続される子機５００が接続される親機１００のＩＤを記憶するＩＤ記憶部と、新規に接続される子機５００の子機番号とを記憶する親機／子機データ記憶部とを含む。
【００６２】
ユーザの自宅に設置された親機１００において実行されるプログラムは、以下のような制御構造を有する。
【００６３】
制御部１８０は、フックスイッチ１６８により受話器１６２が待機位置から外されたことを検知するとともに、入力キー１７０から電話番号が入力されたことを検知することにより、通話中であると判断し、通話処理を以下のように開始する。
【００６４】
なお、ユーザと販売店との間で通話が行なわれ、ユーザが既存の親機１００に対応した、新規に接続する子機５００を注文する。この子機５００は、既存の親機１００に対応した専用子機または共通子機である。
【００６５】
以下、図５を参照して、通話中の親機の処理を説明する。Ｓ１０２にて、通話中に、電話機としての一般的な動作（例：保留機能ＯＮ／ＯＦＦ）を行いながら、Ｓ１０４にて、制御部１８０は、販売店端末３００からＤＴＭＦ処理開始信号を受信したか否かを判断する。この判断は、電話回線１２２を介して、販売店端末３００から受信したＤＴＭＦ信号をＤＴＭＦ信号検出部１３０が解析した結果に基づいて行なわれる。制御部１８０が、販売店端末３００からＤＴＭＦ処理開始信号を受信すると（Ｓ１０４にてＹＥＳ）、処理はＳ１０６へ移され、制御部１８０は、モデム１８２に対して、モデム起動指示を行なう。この起動指示に基づいて、モデム１８２が起動する。一方、販売店端末３００からＤＴＭＦ処理開始信号を受信しないと（Ｓ１０４にてＮＯ）、処理はＳ１０８へ移される。
【００６６】
Ｓ１０８にて、制御部１８０は、終話入力されたか否かを判断する。この判断は、受話器１６２が待機位置に置かれて制御部１８０がフックスイッチ１６８のオンフック状態を検知したり、入力キー１７０で終話キーが押されたことを検知したりすることにより行なわれる。終話入力されると（Ｓ１０８にてＹＥＳ）、処理はＳ１１０へ移され、Ｓ１１０にて、制御部１８０は、終話処理として、回線インターフェイス１２４に電話回線１２２の解放を指示する。一方、終話入力されないと（Ｓ１０８にてＮＯ）、処理はＳ１０２へ戻される。
【００６７】
Ｓ１１２にて、制御部１８０は、Ｓ１０６におけるモデム１８２の起動指示後に、モデム１８２を介して、販売店端末３００から信号を受信したか否かを判断する。制御部１８０が、モデム１８２を介して販売店端末３００から信号を受信すると（Ｓ１１２にてＹＥＳ）、処理はＳ１１６へ移される。一方、モデム１８２を介して販売店端末３００から信号を受信しないと（Ｓ１１２にてＮＯ）、処理はＳ１１４へ移される。
【００６８】
Ｓ１１４にて、制御部１８０は、内蔵したタイマにより一定時間が経過したか否かを判断する。一定時間が経過していると（Ｓ１１４にてＹＥＳ）、処理はＳ１３４へ移される。一方、一定時間が経過していないと（Ｓ１１４にてＮＯ）、処理はＳ１１２へ戻される。
【００６９】
Ｓ１１６にて、制御部１８０は、電話回線１２２を介して、モデム１８２が販売店端末３００からデータ要求信号を受信したか否かを判断する。モデム１８２が販売店端末３００からデータ要求信号を受信すると（Ｓ１１６にてＹＥＳ）、処理はＳ１２０へ移される。一方、モデム１８２が販売店端末３００からデータ要求信号を受信しないと（Ｓ１１６にてＮＯ）、処理はＳ１２２へ移される。
【００７０】
Ｓ１２０にて、制御部１８０は、メモリ１８４に記憶されたデータを、モデム１８２を介して販売店端末３００へ送信する。送信されるデータには、親機が自己を特定するためのＩＤと、親機に既に接続されている子機を認識するための子機認識情報（子機有無フラグ、子機台数情報等）とを含む。
【００７１】
Ｓ１２２にて、制御部１８０は、販売店端末３００から、新規親機データ（新規に接続された子機５００を考慮して、親機１００に接続された子機を認識する子機認識情報を含むデータ）を受信したか否かを判断する。この判断は、電話回線１２２を介して、モデム１８２が新規親機データを受信したか否かにより行なわれる。モデム１８２が販売店端末３００から新規親機データを受信すると（Ｓ１２２にてＹＥＳ）、処理はＳ１２６へ移される。一方、モデム１８２が販売店端末３００から新規親機データを受信しないと（Ｓ１２２にてＮＯ）、処理はＳ１３０へ移される。
【００７２】
Ｓ１２６にて、制御部１８０は、Ｓ１２２にて受信した新規親機データをメモリ１８４の親機データ記憶部に記憶する。Ｓ１２８にて、制御部１８０は、モデム１８２および電話回線１２２を介して、完了信号を販売店端末３００に送信する。
【００７３】
Ｓ１３０にて、制御部１８０は、販売店端末３００から終了指示信号を受信したか否かを判断する。この判断は、電話回線１２２を介して、モデム１８２が終了指示信号を受信したか否かにより行なわれる。モデム１８２が販売店端末３００から終了指示信号を受信すると（Ｓ１３０にてＹＥＳ）、処理はＳ１３６へ移される。一方、モデム１８２が販売店端末３００から終了指示信号を受信しないと（Ｓ１３０にてＮＯ）、処理はＳ１１２へ移される。
【００７４】
Ｓ１３４にて、Ｓ１１４において一定の時間が経過したと判断された場合には、タイムアウトエラー処理を行なう。
【００７５】
Ｓ１３６にて、制御部１８０は、モデム１８２に対しモデム停止指示を行なう。
【００７６】
なお、上述の説明では、ＤＴＭＦ信号を用いた通信とモデムを用いた通信とにより親機１００と販売店端末３００との通信を行なっているが、ＤＴＭＦ信号のみを用いた通信でもかまわない。
【００７７】
また、上述の説明では、ユーザが販売員との通話によって新規子機５００を発注していたが、販売店端末３００に録音音声再生装置を備えて、録音音声再生装置が発生する音声ガイダンスにしたがって、ユーザが入力キー１７０を操作し、発生するＤＴＭＦ信号を販売店端末に送り、販売店端末がこれを認識することで、新規子機５００を購入するようにしてもよい。
【００７８】
図６を参照して、親子関係設定装置２８０における販売店端末３００で実行されるプログラムは以下のような制御構造を有する。
【００７９】
販売店端末３００の制御部３４０は、電話機としての通常の処理を行い、親機１００と販売店端末３００との間で通話処理を行なう。前述のとおり、この通話処理にて、ユーザは既存の親機１００に接続される新規子機５００を注文する。注文にしたがって、販売員がキーボード３６４を使用して子機増設の指示を与えたり、後述するインターネットによる注文の確認が取れると、図６に示す処理を実行する。
【００８０】
Ｓ３０４にて、制御部３４０は、親機１００へＤＴＭＦ処理開始信号を送信する。このときのＤＴＭＦ信号は処理開始を表わすコードであって、制御部３４０は、ＤＴＭＦ信号発生部３３０にて該当するコードを発生させ、回線インタフェース３２４、電話回線１２２を介して、親機１００へ送信する。
【００８１】
Ｓ３０６にて、制御部３４０はモデム３４２に対して起動を指示する。Ｓ３１２にて、モデム３４２の起動後、制御部３４０は、親機１００へデータ要求信号を送信する。
【００８２】
Ｓ３１４にて、制御部３４０は、親機１００から親機データを受信したか否かを判断する。前述のとおり、親機データは、親機１００が自己を特定するためのＩＤおよび親機に既に接続されている子機を認識するための子機認識情報（子機有無フラグ、子機台数情報等）とを含む。この判断は、電話回線１２２を介して、モデム３４２が親機データを受信したか否かにより判断する。モデム３４２が親機１００から親機データを受信すると（Ｓ３１４にてＹＥＳ）、処理はＳ３１８へ移される。一方、モデム３４２が親機１００から親機データを受信しないと（Ｓ３１４にてＮＯ）、処理はＳ３１６へ移される。
【００８３】
Ｓ３１６にて、制御部３４０は、内蔵したタイマで一定時間が経過したか否かを判断する。一定時間が経過すると（Ｓ３１６にてＹＥＳ）、処理はＳ３３８へ移される。一方、一定時間が経過するまでは（Ｓ３１６にてＮＯ）、処理はＳ３１４へ戻され、親機１００からの親機データの受信を待つ。
【００８４】
Ｓ３１８にて、制御部３４０は、新規に接続される子機５００の増設処理を行なう。この子機増設処理の詳細については後述する。
【００８５】
Ｓ３２０にて、制御部３４０は、子機５００の増設処理が正常終了をしたか否かを判断する。この判断は、設定端末４００から受信した、設定端末４００と子機５００との間の無線通信における制御コマンド（詳細は後述する）に基づいて行なわれる。新規子機５００の増設処理が正常に終了すると（Ｓ３２０にてＹＥＳ）、処理はＳ３２６へ移される。一方、子機５００の増設処理が正常終了しないと（Ｓ３２０にてＮＯ）、処理はＳ３２２へ移される。
【００８６】
Ｓ３２２にて、制御部３４０は、設定端末４００から受信した子機５００の増設処理状況を表示部３５８に表示する。Ｓ３２２での処理後、制御部３４０は、子機増設処理を再度行なうか否かを判断する。この判断は、キーボード３６４からリトライコマンドが入力されたか否かにより行なわれたり、予め定められたリトライ回数を超過するまではリトライして、予め定められたリトライ回数を超える場合にはリトライしないという条件にしたがって行なわれたりする。リトライすると判断されると（Ｓ３２４にてＹＥＳ）、処理はＳ３１８へ移される。一方、リトライしないと判断されると（Ｓ３２４にてＮＯ）、処理はＳ３３６へ移される。
【００８７】
Ｓ３２６にて、制御部３４０は、親機１００へ送信する新規親機データを生成する。新規親機データは、新たに増設された子機を認識する子機認識情報を含む。新規親機情報に含まれる子機認識情報は、Ｓ３１４にて受信した既に親機に接続されている子機を認識する子機認識情報に基づいて生成する。たとえば、子機認識情報を子機有無フラグとすると、子機認識情報として記憶された「１０００００００」（１号機に既存の子機が接続されている）データに基づいて、新規に増設される２台目の子機を追加すると、「１００１００００」（１号機と４号機に子機が接続されている）という子機認識情報を生成する。また、子機認識情報を子機台数情報とすると、親機１００のメモリ１８４の親機記憶部に記憶された子機台数情報に基づいて、既存の子機台数に新規に接続される子機の台数を加算したものを子機認識情報として生成する。
【００８８】
Ｓ３２８にて、制御部３４０は、モデム３４２、回線インタフェース３２４、電話回線１２２を介して、親機１００へ新規の親機データを送信する。
【００８９】
Ｓ３３０にて、制御部３４０は、親機１００から完了信号を受信したか否かを判断する。この判断は、モデム３４２が電話回線１２２および回線インタフェース３２４を介して，完了信号を受信したか否かにより行なわれる。モデム３４２がが親機１００から完了信号を受信すると（Ｓ３３０にてＹＥＳ）、処理はＳ３３４へ移される。一方、モデム３４２が親機１００から完了信号を受信しないと（Ｓ３３０にてＮＯ）、処理はＳ３３１およびＳ３２２へ移される。なお、Ｓ３３１およびＳ３３２における処理は、Ｓ３２２およびＳ３２４における処理と同一であるため、ここでの詳細な説明は繰返さない。
【００９０】
Ｓ３３８にて、Ｓ３１６でタイムアウトであると判断された場合には（Ｓ３１６にてＹＥＳ）、タイムアウトエラー処理が行なわれる。Ｓ３３６にて、Ｓ３２４またはＳ３３２にてリトライしないと判断された場合には、エラー処理が行なわれる。
【００９１】
Ｓ３３６におけるエラー処理およびＳ３３８におけるタイムアウトエラー処理の後、処理はＳ３３４へ移される。
【００９２】
Ｓ３３４にて、制御部３４０は、親機１００へ終了指示信号を送信し、その後、Ｓ３４０にて、制御部３４０は、終了処理を行う。終了処理においては、制御部３４０が、表示部３５８に終了表示やエラー表示をさせたり、印字部３６０に受注伝票や発送伝票の印字出力をさせたりする。
【００９３】
図７（Ａ）を参照して、親子関係設定装置２８０の設定端末４００で実行されるプログラムは、以下のような制御構造を有する。
【００９４】
Ｓ４００にて、設定端末４００の制御部４６０は、新規に増設される子機５００に対して増設信号，ＩＤ，子機番号などのデータを送信する。この場合ＩＤおよび子機番号については、販売店端末３００が親機１００から受信したデータに基づいて生成される。なお、子機情報である子機番号については、たとえば、子機認識情報を、子機有無フラグとした場合と、子機台数情報とした場合について説明する。
【００９５】
子機認識情報を子機有無フラグとすると、親機１００のメモリ１８４の親機記憶部に記憶された子機有無フラグに基づいて、既存の子機が登録されていないフラグに対応したものが、子機番号として新規に接続される子機５００に送信される。たとえば、最大８台の子機が接続できる親機において、子機有無フラグ「１０００００００」（１号機に既存の子機が接続されている）に基づいて、新規の子機を考慮した子機認識情報「１００１００００」（１号機と４号機に子機が接続されている）が生成される。この場合、新規に増設される２台目の子機の子機情報（号機番号）は４（号機）となる。この場合、新規に接続される子機の子機情報は、指定してもよいし、自動的に空いているフラグに対応する子機の子機情報としてもよい。
【００９６】
子機認識情報を子機台数情報とすると、親機１００のメモリ１８４の親機記憶部に記憶された子機台数情報に基づいて、既存の子機台数に新規に接続される子機の台数を加算したもの（本実施の形態では、新規に増設される子機５００は１台であるため、既存の子機台数に１を加算した２）が、子機情報（号機番号）として新規に接続される子機５００に送信される。この場合、新規に接続される子機の子機情報の計算方法は、台数に１を加算するものに限定されない。
【００９７】
なお、Ｓ４００にて送信される、増設番号，ＩＤ，子機番号は、設定端末４００のメモリ４６２の親機／子機データ記憶部から読出されたものである。
【００９８】
Ｓ４０２にて、制御部４６０は、無線部４２０を介して新規に増設する子機５００から増設完了信号を受信したか否かを判断する。制御部４６０が、増設完了信号を新規に接続される子機５００から受信すると（Ｓ４０２にてＹＥＳ）、処理はＳ４０６へ移される。この手順で終了すると、前述のＳ３２０にて正常に終了したと判断される。一方、増設完了信号を新規に増設される子機５００から受信しないと（Ｓ４０２にてＮＯ）、処理はＳ４０４へ移される。
【００９９】
Ｓ４０４にて、制御部４６０は、内蔵するタイマにより一定時間が経過したか否かを判断する。一定時間が経過すると（Ｓ４０４にてＹＥＳ）、処理は終了する。この手順で終了すると、前述のＳ３２０にて正常に終了しなかったと判断される。一方、一定時間が経過するまでは（Ｓ４０４にてＮＯ）、処理はＳ４０２へ移される。
【０１００】
なお、Ｓ４０２にて、制御部４６０が無線部４２０を介して新規に増設する子機５００から増設完了信号を受信した場合、親機１００に書込む新規親機データを生成することもできる。たとえば、新規親機データは、前述の子機特定情報に加えて、新規に接続された子機が共通子機であるのか専用子機であるのかを示す情報も含むデータとすることができる。
【０１０１】
図７（Ｂ）を参照して、新規に接続される子機５００で実行されるプログラムは、以下のような制御構造を有する。
【０１０２】
Ｓ５００にて、制御部５６０は、無線部５２０を介して設定端末４００から増設信号を受信したか否かを判断する。制御部５６０が、増設信号を受信すると（Ｓ５００にてＹＥＳ）、処理はＳ５０４へ移される。一方、増設信号を受信しないと（Ｓ５００にてＮＯ）、処理はＳ５０２へ移される。
【０１０３】
Ｓ５０２にて、制御部５６０は、内蔵するタイマで一定時間が経過したか否かを判断する。一定時間が経過するまでは（Ｓ５０２にてＮＯ）、処理はＳ５００に戻され、設定端末４００からの増設信号の受信を待つ。一方、一定時間が経過すると（Ｓ５０２にてＹＥＳ）、処理は終了する。
【０１０４】
Ｓ５０４にて、制御部５６０は、Ｓ５００にて受信したＩＤと子機番号とを、メモリ５６２のＩＤ記憶部と子機データ記憶部とに書込む。
【０１０５】
Ｓ５０６にて、制御部５６０は、増設完了信号を設定端末４００に送信する。
図８を参照して、親子関係設定装置２８０の設定端末４００と新規に接続される子機５００との間の通信処理において、設定端末４００にて実行されるプログラムは、以下のような制御構造を有する。
【０１０６】
なお、新規に増設される子機５００の増設処理が正常終了しない原因と、その原因に対応して接続ケーブル４６４に出力される制御コマンドを以下のように定義する。
１０♯：増設が成功した。
１１♯：無線通信部４２４の受信チャンネルが設定できない。
１２♯：増設処理に使用するチャンネルに電波がある（他の親機と子機とのセットがそのチャンネルを使用中であるので、そのチャンネルが使用できない）。
１３♯：無線通信部４２４の送信チャンネルが設定できない。
１４♯：子機５００から増設完了信号を受信できない。
１５♯：設定端末４００のメモリ４６２内の子機に関する情報を書換えた後に、読出したが正しくデータが書換わっていない（メモリの故障）。
【０１０７】
Ｓ４２０にて、制御部４６０は、無線通信部４２４の受信チャンネルから増設処理に使用するチャンネルを選定する。
【０１０８】
Ｓ４２２にて、制御部４６０は、無線通信部４２４のチャンネルが正しく設定できたか否かを判断する。
【０１０９】
増設処理に使用するチャンネルが設定できると（Ｓ４２２にてＹＥＳ）、処理はＳ４２４へ移される。一方、増設処理に使用するチャンネルが設定できないと（Ｓ４２２にてＮＯ）、処理はＳ４２６へ移され、制御部４６０は、接続ケーブル４６４に制御コマンド「１１♯」を出力する。
【０１１０】
Ｓ４２４にて、制御部４６０は、Ｓ４２０で設定した受信チャンネルに電波があるか否かを判断する。受信チャンネルに電波がないと（Ｓ４２４にてＮＯ）、処理はＳ４２８へ移される。一方、Ｓ４２０で設定した受信チャンネルに電波があると（Ｓ４２４にてＹＥＳ）、処理はＳ４３０へ移され、制御部４６０は、接続ケーブル４６４に制御コマンド「１２♯」を出力する。
【０１１１】
Ｓ４２８にて、制御部４６０は、無線通信部４２４へ増設処理に使用する送信チャンネルを設定する。
【０１１２】
Ｓ４３２にて、制御部４６０は、無線通信部４２４の送信チャンネルが設定できたか否かを判断する。送信チャンネルが設定できると（Ｓ４３２にてＹＥＳ）、処理はＳ４３４へ移される。一方、送信チャンネルが設定できないと（Ｓ４３２にてＮＯ）、処理はＳ４３６へ移され、制御部４６０は、接続ケーブル４６４に制御コマンド「１３♯」を出力する。
【０１１３】
Ｓ４３４にて、制御部４６０は、新規に増設される子機５００に対して増設信号と、メモリ４６２に記憶されたＩＤ，子機番号を送信する。
【０１１４】
Ｓ４３８にて、制御部４６０は、無線部４２０を介して新たに増設される子機５００から増設完了信号を受信したか否かを判断する。制御部４６０が、増設完了信号を受信すると（Ｓ４３８にてＹＥＳ）、処理はＳ４４３へ移される。一方、増設完了信号を受信しないと（Ｓ４３８にてＮＯ）、処理はＳ４４０へ移される。
【０１１５】
Ｓ４４０にて、制御部４６０は、内蔵するタイマにて一定時間が経過したか否かを判断する。一定時間が経過するまでは（Ｓ４４０にてＮＯ）、処理はＳ４３８へ戻され、増設完了信号の受信を待つ。一方、一定時間以上経過すると（Ｓ４４０にてＹＥＳ）、処理はＳ４４２へ移され、制御部４６０は、接続ケーブル４６４に対して制御コマンド「１４♯」を出力する。
【０１１６】
Ｓ４４３にて、設定端末はメモリ４６２に子機に関する情報を書込み、Ｓ４４４へ移る。Ｓ４４４にて、制御部４６０は、Ｓ４４３にて書込んだメモリ４６２に記憶させた情報（ＩＤ，子機番号）を読出す。
【０１１７】
Ｓ４４６にて、制御部４６０は、Ｓ４４４で読出した情報とＳ４４３にて書込んだ情報とを比較して、読出された情報が正しいか否かを判断する。データが正しければ（Ｓ４４６にてＹＥＳ）、処理はＳ４４８へ移され、制御部４６０は、回線４６０に対して制御コマンド「１０♯」を出力する。一方、データが正しくなければ（Ｓ４４６にてＮＯ）、処理はＳ４５０へ移され、制御部４６０は、接続ケーブル４６４に制御コマンド「１５♯」を出力する。このほかに、子機が増設処理で書込んだ情報を読出して、設定端末４００にて指示した情報と照合することによるデータの確認などを行うことも可能である。
【０１１８】
以上のような構造およびフローチャートに基づく、親子装置販売装置２８０における販売店端末３００、設定端末４００、親機１００および新規に接続される子機５００の動作について説明する。なお、以下の説明では、ユーザは既に自宅に親機１００と既存の子機２００とを有しており、新規に子機５００を購入するために、親機１００を用いて、販売店に設置された親子関係設定装置２８０の販売店端末３００に電話注文する場合の動作を説明する。
【０１１９】
［親機１００および販売店端末３００の動作］
ユーザはユーザの自宅にある親機１００の受話器１６２を待機位置から持上げ、入力キー１７０に販売店端末３００の有するダイヤル番号を入力して、販売店端末３００に電話する。
【０１２０】
販売店端末３００と親機１００とは、電話回線１２２を介して通話する。この通話において、ユーザは販売員に新規に接続する子機５００の購入を申込む。
【０１２１】
新規子機５００の購入の申込みがされると、販売員が子機５００を用意した後にキーボードから所定の入力を行うことで、販売店端末３００は、親機１００へＤＴＭＦ処理開始信号を送信する（Ｓ３０４）。一方、親機１００は、販売店端末３００からＤＴＭＦ処理開始信号を受信する（Ｓ１０４にてＹＥＳ）。親機１００の制御部１８０は、モデム１８２を起動する（Ｓ１０６）。
【０１２２】
販売店端末３００の制御部３４０は、モデム３４２を起動する（Ｓ３０６）。販売店端末３００は、親機１００へデータ送信要求信号を送信し（Ｓ３１２）、親機１００は、販売店端末３００からデータ要求信号を受信する（Ｓ１１２にてＹＥＳ、Ｓ１１６にてＹＥＳ）。親機１００は、親機データを販売店端末３００に送信する（Ｓ１２０）。販売店端末３００は、親機１００から親機データを受信する（Ｓ３１４にてＹＥＳ）。販売店端末３００は、親機１００から親機データを受信すると子機の増設処理を行なう（Ｓ３１８）。
【０１２３】
子機の増設処理が正常に終了すると（Ｓ３２０にてＹＥＳ）、販売店端末３００は、新規に接続された子機５００を含む新規親機データを作成し（Ｓ３２６）、親機１００へ新規親機データを送信する（Ｓ３２８）。
【０１２４】
親機１００は、販売店端末３００から新規子機データを受信すると（Ｓ１２２にてＹＥＳ）、受信した新規子機データをメモリ１８４の親機データ記憶部に書込み（Ｓ１２６）、完了信号を販売店端末３００に送信する（Ｓ１２８）。
【０１２５】
販売店端末３００は、親機１００から完了信号を受信すると（Ｓ３３０にてＹＥＳ）、親機１００へ終了指示信号を送信して（Ｓ３３４）、表示部３５８に終了表示を行ない（Ｓ３４０）。販売店端末３００の処理が終了する。
【０１２６】
親機１００は、販売店端末３００から終了指示信号を受信し（Ｓ１３０にてＹＥＳ）、モデム１８２の停止を指示し（Ｓ１３６）、親機１００の処理が終了する。
【０１２７】
なお、販売店端末３００においては、Ｓ３４０における終了処理として、電話回線１２２を通じてユーザが購入した新規子機５００の発送伝票を、印字部３６０にて印字させることができる。この印字した発送伝票を、親子関係を設定した子機５００に貼付して、販売者が発送処理を行なうことができる。このような子機５００が配送され、ユーザの手元に届くと、子機は既に親子関係が設定されているので、何ら設定することなくそのまま使用できる。
【０１２８】
［設定端末４００と新規に接続される子機５００の動作］
販売店端末３００により親機１００から受信したＩＤと既設子機台数とに基づいて、設定端末４００は新規に接続される子機５００の増設処理を行なう。
【０１２９】
Ｓ４００にて、設定端末４００は、増設信号とＩＤと子機番号とを新規に接続される子機５００へ送信する。新規に増設される子機５００は、増設信号を受信する（Ｓ５００にてＹＥＳ）。
【０１３０】
子機５００は、Ｓ５００にて受信した増設信号に基づいて、メモリ５６２に受信したＩＤと子機番号とを書込む（Ｓ５０４）。その後、増設完了信号を設定端末４００に送信する（Ｓ５０６）。設定端末４００は、増設完了信号を受信する（Ｓ４０２にてＹＥＳ）。
【０１３１】
なお、子機５００において、一定時間経過するまでに増設信号を受信しない場合、処理は強制的に終了される。また、設定端末４００において、一定時間経過するまでに増設完了信号を受信しない場合、処理は強制的に終了される。
【０１３２】
設定端末４００における子機増設処理の動作は以下のようになる。
設定端末４００にて、新規に接続される子機５００との通信を確立するために受信チャンネルが設定されたり（Ｓ４２０）、送信チャンネルが設定されたりする（Ｓ４２８）。
【０１３３】
その際、受信チャンネルが設定できない場合には（Ｓ４２２にてＮＯ）、設定端末４００の制御部４６０により接続ケーブル４６４を介して販売店端末３００の制御部３４０に制御コマンド「１１♯」が転送される（Ｓ４２６）。また、送信チャンネルが設定できない場合には（Ｓ４３２にてＮＯ）、同様にして制御部３４０により制御コマンド「１３♯」が転送される。また、設定した受信チャンネルに電波がある場合には、制御部３４０により制御コマンド「１２♯」が転送される（Ｓ４３０）。
【０１３４】
受信チャンネルの設定と送信チャンネルの設定が正常に行なわれると、設定端末４００は増設信号，ＩＤ，子機番号を子機５００に送信する（Ｓ４３４）。増設完了信号を一定時間経過するまでに受信しない場合には（Ｓ４４０にてＹＥＳ）、制御部４６０により接続ケーブル４６４を介して制御部３４０に制御コマンド「１４♯」が転送される。
【０１３５】
設定端末４００が増設完了信号を受信した場合であって（Ｓ４３８にてＹＥＳ）、設定端末内で書込まれた情報と、読出された情報とが一致しない場合には（Ｓ４４６にてＮＯ）、制御部４６０により接続ケーブル４６４を介して制御部３４０に制御コマンド「１５♯」が転送される。
【０１３６】
また、正常に増設処理ができた場合には（Ｓ４４６にてＹＥＳ）、制御部４６０により接続ケーブル４６４を介して制御部３４０に制御コマンド「１０♯」が転送される。
【０１３７】
設定端末４００の制御部４６０により接続ケーブル４６４を介して販売店端末３００の制御部３４０に転送された制御コマンド「１０♯」から「１５♯」の信号と、メモリ３４４のデータベースに記憶された制御コマンドに対応するエラー内容とに基づいて、表示部３５８にエラーの内容が表示される。
【０１３８】
以上のようにして、本発明の実施の形態に係る親子関係設定装置２８０は、親子関係設定装置２８０に含まれる販売店端末３００により、親機１００のメモリ１８４に記憶されたＩＤと子機の台数情報とを読出すことができ、これら情報に基づいて新規に接続される子機情報を生成し、設定端末４００により新規に接続される子機５００のメモリ５６２にＩＤと子機番号とを記憶させることができる。その結果、複数の子機を含むコードレス電話などの親機がユーザの自宅にある場合、増設する新規子機５００の増設処理を販売者が行なうことができる親子関係設定装置２８０を提供することができる。
【０１３９】
＜第２の実施の形態＞
図９を参照して、本発明の実施の形態２に係る親子関係設定装置の販売店端末３９０は、インターネット回線６０２と制御部３４０とに接続されるインターネット回線接続部３９２を含む。その他のハードウェア構成については前述の実施の形態１と同様であるため、ここでの詳細な説明は繰返さない。なお、ユーザ自宅には販売店端末３９０のインターネット回線接続部３９２にインターネット回線を通じて接続されるネットワーク端末（たとえばパーソナルコンピュータ）６００が設置されている。
【０１４０】
図１０を参照して、本実施の形態に係る販売店端末３９０にて実行されるプログラムは以下のような制御構造を有する。なお、以下の説明において、Ｓ３０４〜Ｓ３４０についての説明は、前述の図６と同一であるため、ここでの詳細な説明は繰返さない。
【０１４１】
ユーザが自宅からネットワーク端末６００と販売店３９０のインターネット回線接続部３９２とをインターネット回線６０２で接続し、ユーザがインターネット回線６０２を通じて新規子機５００の購入を申込んだものとして説明する。なお、ユーザが、インターネット回線６０２を通じて新規子機５００の購入を申込む際には、親機１００の電話番号を入力している。
【０１４２】
制御部３４０は、インターネット回線接続部３９２から新規親機を購入するユーザの親機１００の電話番号（インターネット回線６０２を通じてユーザが入力した番号）への発信指示がされると、図１０に示す処理を行なう。
【０１４３】
Ｓ３５２にて、制御部３４０は、インターネット回線６０２を通じてユーザが親機の電話番号として入力した指定番号に基づいて発信処理を行なう。
【０１４４】
Ｓ３５４にて、制御部３４０は、電話回線１２２を通じて指定番号に発信した相手側の親機１００が既に通話中であるか否かを判断する。親機１００が通話中であると（Ｓ３５４にてＹＥＳ）、処理はＳ３５６へ移される。一方、親機１００が通話中でなく、応答した場合（Ｓ３５４にてＮＯ）、処理はＳ３０４へ移される。
【０１４５】
Ｓ３５６にて、制御部３４０は、発信処理をリトライするか否かを判断する。この判断は、たとえば予め定められたリトライ回数を超過するまではリトライして、予め定められたリトライ回数を超える場合にはリトライしないという条件にしたがって行なわれる。リトライを行なう場合には（Ｓ３５６にてＹＥＳ）、処理はＳ３５２へ戻される。一方、リトライを行なわないと判断された場合には（Ｓ３５６にてＮＯ）、処理はＳ３５８へ移され、エラー処理され強制的に処理は終了される。
【０１４６】
また、インターネット回線６０２を通じて販売された子機５００が返品される場合を想定して、メモリ３４４のデータベースに子機５００の製品記号と製造番号と親子関係が登録された親機１００の電話番号とを記憶させたデータベースを構築する。返品された子機５００の製品記号と製造番号とから、親機１００を特定し、販売店端末３９０が親機１００に発信処理を行い、親機１００のメモリ１８４に記憶された親子関係の登録情報を抹消させることもできる。
【０１４７】
以上のようにして、本実施の形態に係る親子関係設定装置２８０における販売店端末３９０においても、インターネット回線を通じて購入指示がされた新規に接続される親機子機５００に対して、販売店の販売員が親子関係の設定処理をすることができる。
【０１４８】
＜第３の実施の形態＞
図１１を参照して、本発明の実施の形態３に係る親子関係設定装置における販売店端末３９４は、制御部３４０に接続された子機販売部７００を含む。なお、その他のハードウェア構成については前述の実施の形態１と同様であるため、ここでの詳細な説明は繰返さない。
【０１４９】
本実施の形態に係る親子関係設定装置は、ユーザが親子関係設定装置の設置された販売店に出向いて行き、販売店端末３９４の子機販売部７００にて自宅の親機１００に新たに接続する子機５００を購入する場合に使用される。
【０１５０】
子機販売部７００は、たとえば自動販売機のような形態を有しており、種々の子機が表示され、それらの子機を選択できる選択表示部と、自己の有する親機１００の電話番号を入力する電話番号入力部と、子機５００に対する料金を収受する料金収受部とを含む。このような子機販売部７００にてユーザが自己の要求する新規子機５００を選択し、さらにユーザの自宅にある親機１００の電話番号を入力し、料金が収受されると、ユーザは自己が要求する子機５００を入手することができる。
【０１５１】
子機販売部７００にて子機５００が新規に購入される場合において、ユーザが入力した親機の電話番号に基づいて、販売店端末３９４の制御部３４０が親機１００への発信指示を行なう（図１０におけるＳ３５２）。これ以降の本実施の形態に係る販売店端末３９４で実行されるプログラムは、前述の実施の形態２に係る処理フロー（図１０）と同一であるためここでの詳細な説明は繰返さない。
【０１５２】
前述の実施の形態２との相違点は、実施の形態２における親機１００の電話番号がインターネット回線６０２経由で入力されることに対して、実施の形態３における親機１００の電話番号が販売店端末３９４の子機販売部７００の電話番号入力部からユーザが直接入力するという点が異なる。
【０１５３】
以上のようにして、本実施の形態に係る親子関係設定装置は、ユーザが販売店の子機販売部７００から子機を購入する際に、ユーザが親機１００の電話番号を入力することにより、販売店端末３９４が自動的に親機１００へ電話をかけ、新規に接続される子機５００の設定を行なうことができる。
【０１５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の第１の実施の形態に係る各装置の関係を示す説明図である。
【図２】  本発明の第１の実施の形態に係る親機１００の制御ブロック図である。
【図３】  本発明の第１の実施の形態に係る子機２００（子機５００）の制御ブロック図である。
【図４】  本発明の第１の実施の形態に係る販売店端末３００と設定端末４００の制御ブロック図である。
【図５】  本発明の第１の実施の形態に係る親機１００の処理の制御の手順を示すフローチャートである。
【図６】  本発明の第１の実施の形態に係る販売店端末３００の処理の制御の手順を示すフローチャートである。
【図７】  本発明の第１の実施の形態に係る設定端末４００および新規子機５００の処理の制御の手順を示すフローチャートである。
【図８】  本発明の第１の実施の形態に係る設定端末４００の通信処理の制御の手順を示すフローチャートである。
【図９】  本発明の第２の実施の形態に係る各装置の関係を示す説明図である。
【図１０】  本発明の第２の実施の形態に係る販売店端末３９０の処理の制御の手順を示すフローチャートである。
【図１１】  本発明の第３の実施の形態に係る各装置の関係を示す説明図である。
【図１２】  従来の各装置の関係を示す説明図である。
【符号の説明】
１００  親機、２００  既設子機、２８０  親子関係設定装置、３００，３９０，３９４  販売店端末、４００  設定端末、５００  新規子機、６００  ネットワーク端末、７００  子機販売部。
【図１】
0003673135.tif 000002
【図２】
0003673135.tif 000003
【図３】
0003673135.tif 000004
【図４】
0003673135.tif 000005
【図５】
0003673135.tif 000006
【図６】
0003673135.tif 000007
【図７】
0003673135.tif 000008
【図８】
0003673135.tif 000009
【図９】
0003673135.tif 000010
【図１０】
0003673135.tif 000011
【図１１】
0003673135.tif 000012
【図１２】
0003673135.tif 000013